(57)【要約】【課題】けがき作業の安全性を確保しつつ、その作業効率を向上させる。【解決手段】略直線状の線材からなり、その先端部が鋭利に形成されたけがき針２０と、けがき針２０の少なくとも先端部が覆われるように、けがき針２０を抜き差し可能に収納する略円筒状の収納ケース３０と、を含んでけがき装置１０を構成する。このようにすれば、けがき針２０を使用しないときには、これを収納ケース３０に収納することで、少なくともその鋭利な先端部が外部に露出することがなく、携帯に際しての安全性を確保することができる。そして、けがき作業を行う作業者は、衣服のポケットなどにけがき装置１０を入れて携帯することが可能となり、けがき針２０の使い勝手の向上を通して、作業効率を向上させることができる。【選択図】　図１
2004098262.tif 000002
【特許請求の範囲】
【請求項１】
略直線状の線材からなり、その先端部が鋭利に形成されたけがき針と、
該けがき針の少なくとも先端部が覆われるように、当該けがき針を抜き差し可能に収納する略円筒状の収納ケースと、
を含んで構成されたことを特徴とするけがき装置。
【請求項２】
前記けがき針の基端部は、前記収納ケースの内径より大径に形成されていることを特徴とする請求項１記載のけがき装置。
【請求項３】
前記収納ケースには、前記けがき針を狭持固定する固定部が形成されていることを特徴とする請求項１又は請求項２に記載のけがき装置。
【請求項４】
前記収納ケースには、クリップが取り付けられていることを特徴とする請求項１〜請求項３のいずれか１つに記載のけがき装置。
【発明の詳細な説明】
【０００１】
【発明の属する技術分野】
本発明は、被加工物に傷を付けて線を描くけがき装置において、特に、安全性を確保しつつ作業効率を向上させる技術に関する。
【０００２】
【従来の技術】
従来から、金属などの被加工物を加工する際に、穴あけ位置，切り出し位置又は基準線を決めるために、工具としての「けがき針」を使用して、その表面に傷を付けて線を描く「けがき作業」が行われている。なお、けがき針については、先行技術文献は見当たらない。
【０００３】
【発明が解決しようとする課題】
ところで、けがき針の先端部は、被加工部の表面に傷を付けて線描きする必要から、極めて鋭利に形成されている。このため、けがき針を使用しないときには、安全性の観点から、これを工具箱などに収納しておく必要があった。しかし、被加工物の複数箇所に線描きを行うときに、けがき針を工具箱を取り出して使用した後、これを再び工具箱に収納することを何度も繰り返すのは、真に面倒であり作業効率が良好ではなかった。
【０００４】
そこで、本発明は以上のような従来の問題点に鑑み、けがき針を収納ケースに収納させることで、安全性を確保しつつ携帯を可能とし、けがき作業の作業効率を向上させたけがき装置を提供することを目的とする。
【０００５】
【課題を解決するための手段】
このため、請求項１記載の発明では、略直線状の線材からなり、その先端部が鋭利に形成されたけがき針と、該けがき針の少なくとも先端部が覆われるように、当該けがき針を抜き差し可能に収納する略円筒状の収納ケースと、を含んでけがき装置を構成したことを特徴とする。
【０００６】
かかる構成によれば、けがき針が収納ケースに抜き差し自由に収納されるので、けがき針を使用しないときに、これを収納ケースに収納するようにすれば、その鋭利な先端部が外部に露出することがなく、携帯に際しての安全性が確保される。このため、けがき作業を行う作業者は、けがき装置を衣服のポケットなどに入れて携帯することが可能となり、その使い勝手が向上する。
【０００７】
請求項２記載の発明では、前記けがき針の基端部は、前記収納ケースの内径より大径に形成されていることを特徴とする。
かかる構成によれば、けがき針の基端部が収納ケースの内径より大径に形成されているので、その基端部がけがき針を抜き差しする取手として機能し、使い勝手がさらに向上する。また、けがき針の基端部が、収納ケースへの収納長さを規制するストッパとして機能するので、その収納長さを適切に設定することで、その先端部が収納ケースの内壁面に当たることが防止され、線描きとしての機能低下が抑制される。
【０００８】
請求項３記載の発明では、前記収納ケースには、前記けがき針を狭持固定する固定部が形成されていることを特徴とする。
かかる構成によれば、収納ケースに形成された固定部によりけがき針が狭持固定されるので、けがき装置を携帯する作業者が如何なる姿勢を採っても、けがき針が収納ケースから容易に抜け出ることが防止される。
【０００９】
請求項４記載の発明では、前記収納ケースには、クリップが取り付けられていることを特徴とする。
かかる構成によれば、収納ケースに取り付けられているクリップを介して、あたかもボールペンや万年筆のように、作業者が望む位置にけがき装置を固定することが可能となる。このため、けがき針の基端部が常に所定位置にあることとなり、収納ケースに対するけがき針の抜き差しが一層容易になる。
【００１０】
【発明の実施の形態】
以下、添付された図面を参照して本発明を詳述する。
図１は、本発明に係るけがき装置の全体構成を示す。
けがき装置１０は、けがき針２０と収納ケース３０とを含んで構成される。けがき針２０は、図２（Ａ）に示すように、略直線状の金属製線材からなり、その先端部２０Ａが鋭利に形成される。一方、収納ケース３０は、けがき針２０を抜き差し可能に収納すべく、同図（Ｂ）に示すように、その内径がけがき針２０の外径よりも大径に形成されると共に、その先端部３０Ａが閉塞された略円筒状に形成される。
【００１１】
なお、けがき針２０の基端部２０Ｂは、けがき針２０を収納ケース３０に抜き差しするときの取手として機能させると共に、収納ケース３０への収納長さを規制するストッパとして機能させるために、その線材の直径よりも大径に形成されることが望ましい。このようにすれば、収納ケース３０に対するけがき針２０の抜き差しが容易になると共に、収納ケース３０へのけがき針２０の収納長さを適切に設定することで、けがき針２０の先端部２０Ａが収納ケース３０の内壁面に当たることが防止され、線描きとしての機能低下を抑制することができる。
【００１２】
また、収納ケース３０の周壁には、その内周面でけがき針２０を狭持固定し、収納ケース３０からけがき針２０が容易に抜け出ることを防止する陥凹部３０Ｂ（固定部）が形成される。なお、陥凹部３０Ｂは、けがき針２０が収納ケース３０に略同軸に収納されるようにすべく、少なくとも、その中心軸を通る平面と交差する箇所に複数形成することが望ましい。ここで、けがき針２０を狭持固定する固定部としては、陥凹部３０Ｂに限らず、例えば、収納ケース３０の開口部３０Ｃをけがき針２０の線材外径よりも若干小径に形成して、ここでけがき針２０を狭持固定するようにしてもよい。
【００１３】
さらに、収納ケース３０の開口部３０Ｃ近傍には、収納ケース３０を作業者の衣服のポケットなどに固定するために、ボールペン，万年筆などに備えられるようなクリップ４０が取り付けられる。クリップ４０は、少なくとも先端部が略弓状に形成された弾性部材からなるクリップ部４０Ａと、その基端部を収納ケース３０の外周面に固着させる固着部４０Ｂと、を含んで構成される。そして、弾性部材の付勢力により、クリップ部４０Ａの先端部を収納ケース３０の外周面に向けて付勢し、両者によって弾性狭持される被固定部を介して、収納ケース３０が被固定部に固定される。
【００１４】
かかる構成からなるけがき装置１０によれば、けがき針２０が収納ケース３０に抜き差し自由に収納されるので、けがき針２０を使用しないときには、これを収納ケース３０に収納することで、少なくとも先端部２０が外部に露出することがなく、携帯に際しての安全性を確保することができる。このため、けがき作業を行う作業者は、けがき装置１０を衣服のポケットなどに入れて携帯することが可能となり、けがき針２０の使い勝手の向上を通して、けがき作業の作業効率を向上させることができる。
【００１５】
このとき、収納ケース３０には、これを作業者の衣服のポケットなどに固定するクリップ４０が取り付けられているので、作業者が望む位置に、あたかもボールペンや万年筆のように、けがき装置１０を確実に固定することができる。このため、けがき針２０の基端部２０Ｂが常に所定位置にあることとなり、収納ケース３０に対するけがき針２０の抜き差しが一層容易になり、その使い勝手をさらに向上させることができる。
【００１６】
また、収納ケース３０には、けがき針２０を狭持固定する陥凹部３０Ｂが形成されているので、作業者が如何なる姿勢を採っても、けがき針２０が収納ケース３０から容易に抜け出ることが防止される。このため、けがき針２０の予期せぬ抜け出しが防止され、安全性をさらに向上させることができる。
【００１７】
【発明の効果】
以上説明したように、請求項１記載の発明によれば、けがき針を使用しないときに、これを収納ケースに収納するようにすれば、その鋭利な先端部が外部に露出することがなく、携帯に際しての安全性を確保することができる。このため、けがき作業を行う作業者は、けがき装置を衣服のポケットなどに入れて携帯することが可能となり、その使い勝手の向上を通して、作業効率を向上させることができる。
【００１８】
請求項２記載の発明によれば、けがき針の基端部が、抜き差しする取手として機能するため、使い勝手をさらに向上させることができる。また、けがき針の基端部が、収納ケースへの収納長さを規制するストッパとして機能するので、その収納長さを適切に設定することで、その先端部が収納ケースの内壁面に当たることが防止され、線描きとしての機能低下を抑制することができる。
【００１９】
請求項３記載の発明によれば、けがき装置を携帯する作業者が如何なる姿勢を採っても、けがき針が収納ケースから容易に抜け出ることが防止され、安全性をさらに向上させることができる。
請求項４記載の発明によれば、あたかもボールペンや万年筆のように、作業者が望む位置にけがき装置を固定することが可能であるため、けがき針の基端部が常に所定位置にあることとなり、収納ケースに対するけがき針の抜き差しを一層容易にすることができる。
【図面の簡単な説明】
【図１】本発明に係るけがき装置の全体構成図
【図２】同上の構成部品の詳細を示し、（Ａ）はけがき針の正面図、（Ｂ）は収納ケースの断面図
【符号の説明】
１０　　けがき装置
２０　　けがき針
２０Ａ　先端部
２０Ｂ　基端部
３０　　収納ケース
３０Ｂ　陥凹部
４０　　クリップ
【図１】
2004098262.tif 000003
【図２】
2004098262.tif 000004